(57)【要約】【課題】レンズ鏡筒において調芯を容易にかつ高精度に行えるようにする。【解決手段】第１レンズＧ１を保持する第１レンズ枠１１０、第２レンズＧ２及び第３レンズＧ３を保持し第１レンズ枠の内側に嵌め込まれる第２レンズ枠１２０を含み、第１レンズ枠１１０は、第１レンズＧ１を保持する第１保持部１１３、第１保持部１１３の周りに形成されて第２レンズ枠１２０を所定の隙間をおいて嵌め込み保持する嵌合凹部１１５を含み、第２レンズ枠１２０は、光軸方向において第１レンズＧ１と対向する側に形成されて第２レンズＧ２を保持する第２保持部１２３、光軸方向において第２保持部１２３と反対側に形成されて第３レンズＧ３を所定の隙間をおいて嵌め込み保持する第３保持部１２４を含む。これにより、２つのレンズを１つのレンズに対して同一方向から調芯できるため、簡単な段取りにより調芯作業を容易にかつ高精度に行うことができる。【選択図】図３
2008111932.tif 000002
【特許請求の範囲】
【請求項１】
光軸方向に順次に配列される第１レンズ，第２レンズ，第３レンズの少なくとも３つのレンズと、前記レンズを保持するレンズ枠と、を備えたレンズ鏡筒であって、
前記レンズ枠は、前記第１レンズを保持する筒状の第１レンズ枠と、前記第２レンズ及び第３レンズを保持すると共に前記第１レンズ枠の内側に嵌め込まれる筒状の第２レンズ枠とを含み、
前記第１レンズ枠は、前記第１レンズを保持する第１保持部、前記第１保持部の周りに形成されて前記第２レンズ枠を所定の隙間をおいて嵌め込み保持する嵌合凹部を含み、
前記第２レンズ枠は、光軸方向において前記第１レンズと対向する側に形成されて前記第２レンズを保持する第２保持部、光軸方向において前記第２保持部と反対側に形成されて前記第３レンズを所定の隙間をおいて嵌め込み保持する第３保持部を含む、
ことを特徴とするレンズ鏡筒。
【請求項２】
前記第１レンズ及び第２レンズは、光軸方向において、所定の口径をなす口径板を協働して挟持するように形成されている、
ことを特徴とする請求項１記載のレンズ鏡筒。
【請求項３】
前記第１保持部は、前記第１レンズの外縁部を嵌め込む内周壁と、前記内周壁から径方向外向きに肉抜きされた複数の溝部を含む、
ことを特徴とする請求項１又は２に記載のレンズ鏡筒。
【請求項４】
前記第１レンズ枠は、前記第２レンズ枠の外周を露出させるべく切り欠かれた複数のスリットを含む、
ことを特徴とする請求項１ないし３いずれかに記載のレンズ鏡筒。
【請求項５】
前記第２レンズ枠は、その外周面から径方向に突出し前記複数のスリットに対してそれぞれ所定の遊びをもって挿入される複数の突出部を含む、
ことを特徴とする請求項４記載のレンズ鏡筒。
【請求項６】
前記第３保持部は、前記第３レンズの外縁部と対向する内周壁と、前記内周壁から径方向外向きに肉抜きされた複数の溝部を含む、
ことを特徴とする請求項１ないし５いずれかに記載のレンズ鏡筒。
【請求項７】
前記嵌合凹部及び第３保持部は、予め紫外線硬化型の接着剤を塗布しかつ調芯後に紫外線を照射し得るように形成されている、
ことを特徴とする請求項１ないし６いずれかに記載のレンズ鏡筒。
【発明の詳細な説明】
【技術分野】
【０００１】
本発明は、複数のレンズを保持したレンズ鏡筒に関し、特に、３枚以上のレンズを調芯した状態で保持すると共に光軸方向に移動させられるレンズ鏡筒、さらには、デジタルカメラ、モバイルカメラ等に搭載されるレンズ鏡筒に関する。
【背景技術】
【０００２】
従来のレンズ鏡筒としては、光軸方向に軸心をもつ円筒状に形成されその内部に所定口径の開口部及び光軸方向に垂直な前面を画定する円板部をもつ第１レンズ枠、第１レンズ枠の円板部の後面側に固定される第１レンズ、第１レンズ枠の内側でかつ円板部の前側に遊びをもって配置される大きさに形成された円筒状の第２レンズ枠、第２レンズ枠に固定される第２レンズを備え、第１レンズを第１レンズ枠に固定し、第２レンズを第２レンズ枠に固定し、第２レンズ枠の後端面を第１レンズ枠の円板部の前面に当接させて、その前面上を二次元的に移動させることで、第１レンズに対して第２レンズを調芯するように形成されたものが知られている（例えば、特許文献１参照）。
【０００３】
しかしながら、このレンズ鏡筒においては、２つのレンズを保持する場合において、一方のレンズを他方のレンズと調芯するものであるため、３つ以上のレンズを保持するレンズ鏡筒において、同様の調芯手法を適用して３つのレンズを調芯することは困難である。
また、このレンズ鏡筒において、調芯作業を施す場合は、第２レンズ枠の外周（チャッキング部）を、調芯装置に含まれる把持フィンガ（チャッキング爪）で把持しつつ、第２レンズ枠（及び第２レンズ）を移動させるようにしているが、３つのレンズを調芯する場合は、この手法をそのまま適用することが困難である。
【０００４】
一方、３つのレンズを保持するレンズ鏡筒において、上記従来のレンズ鏡筒における調芯手法を適用して、最も被写体側寄りの一つのレンズのみを調芯した場合、解像力が改善される部位は限られ、例えば、７割像高の解像力は改善されても、３割像高の解像力が劣化したままの場合があり、全体として総合的に解像力が改善されるものではなかった。
【０００５】
【特許文献１】特開２００４−２８６９５８号公報
【発明の開示】
【発明が解決しようとする課題】
【０００６】
本発明は、上記従来技術の事情に鑑みて成されたものであり、その目的とするところは、３枚ないしはそれ以上のレンズを一体的に保持するレンズ鏡筒において、レンズ相互の調芯を、容易に、かつ、高精度に、簡略な段取りで行え、特に変倍又は撮影位置の切り替えのために光軸方向に駆動されると共に高い解像力が得られる、デジタルカメラ、モバイルカメラ等に適したレンズ鏡筒を提供することにある。
【課題を解決するための手段】
【０００７】
本発明のレンズ鏡筒は、光軸方向に順次に配列される第１レンズ，第２レンズ，第３レンズの少なくとも３つのレンズと、レンズを保持するレンズ枠と、を備えたレンズ鏡筒であって、上記レンズ枠は、第１レンズを保持する筒状の第１レンズ枠と、第２レンズ及び第３レンズを保持すると共に第１レンズ枠の内側に嵌め込まれる筒状の第２レンズ枠とを含み、上記第１レンズ枠は、第１レンズを保持する第１保持部、第１保持部の周りに形成されて第２レンズ枠を所定の隙間をおいて嵌め込み保持する嵌合凹部を含み、上記第２レンズ枠は、光軸方向において第１レンズと対向する側に形成されて第２レンズを保持する第２保持部、光軸方向において第２保持部と反対側に形成されて第３レンズを所定の隙間をおいて嵌め込み保持する第３保持部を含む、ことを特徴としている。
この構成によれば、例えば、予め第１保持部に第１レンズを嵌め込んで保持した第１レンズ枠と、予め第２保持部に第２レンズを嵌め込んで保持した第２レンズ枠を用意し、所定の調芯装置を用いて、第２レンズ枠を第１レンズ枠の嵌合凹部に嵌めこんで光軸に垂直な方向に二次元的に微調整することにより、第１レンズに対して第２レンズを調芯することができ、続いて、第３レンズを第２レンズ枠の第３保持部に嵌め込んで光軸に垂直な方向に二次元的に微調整することにより、第１レンズ及び第２レンズに対して第３レンズを調芯することができる。このように、光軸方向の一方側から、２つのレンズを１つのレンズに対して調芯することができるため、簡単な段取りにより調芯作業を容易にかつ高精度に行うことができる。
【０００８】
上記構成において、第１レンズ及び第２レンズは、光軸方向において、所定の口径をなす口径板を協働して挟持するように形成されている、構成を採用することができる。
この構成によれば、第１レンズを保持した第１レンズ枠に対して、第２レンズを保持した第２レンズ枠を組み込む際に、第１レンズの外縁領域の端面に口径板を載せ、その上から第２レンズの外縁領域の端面が当接するように第２レンズ枠を嵌合凹部内に嵌め込むことで、口径板が第１レンズ（の外縁領域の端面）と第２レンズ（の外縁領域の端面）との間に挟持され、又、口径板に沿って第２レンズ枠を移動させて微調整することにより、第２レンズを第１レンズに対して調芯することができる。
したがって、口径板を保持するための専用の保持部が不要になり、その分だけレンズ枠の構造を簡素化することができる。
【０００９】
上記構成において、第１保持部は、第１レンズの外縁部を嵌め込む内周壁と、内周壁から径方向外向きに肉抜きされた複数の溝部を含む、構成を採用することができる。
この構成によれば、第１レンズを、その外縁部（外周面）が第１保持部の内周面に対面するように嵌め込んだ状態で、複数の溝部に対して、接着剤等を容易に塗布又は溜めることができる。
【００１０】
上記構成において、第１レンズ枠は、第２レンズ枠の外周を露出させるべく切り欠かれた複数のスリットを含む、構成を採用することができる。
この構成によれば、第２レンズを保持した第２レンズ枠を第１レンズ枠の嵌合凹部に嵌め込んで微調整する（光軸に垂直な方向に二次元的に移動させる）際に、調芯装置の把持フィンガ等を、第１レンズ枠の外側からスリットを通して第２レンズ枠の外周を把持することができるため、第２レンズ枠（第２レンズ）の微調整を容易に行うことができる。
【００１１】
上記構成において、第２レンズ枠は、その外周面から径方向に突出し複数のスリットに対してそれぞれ所定の遊びをもって挿入される複数の突出部を含む、構成を採用することができる。
この構成によれば、第２レンズ枠の突出部を第１レンズ枠のスリットに通した時点で、第１レンズ枠（第１レンズ）に対する第２レンズ枠（第２レンズ）の光軸回りの角度位置を予め所定の角度位置に位置付けることができ、その状態から突出部を把持フィンガ等で把持して第２レンズ枠を微調整する（光軸に垂直な方向に二次元的に移動させる）ことで、より高精度に調芯を行うことができる。
【００１２】
上記構成において、第３保持部は、第３レンズの外縁部と対向する内周壁と、内周壁から径方向外向きに肉抜きされた複数の溝部を含む、構成を採用することができる。
この構成によれば、第２レンズを保持した第２レンズ枠に対して、第３レンズを第３保持部に嵌め込んで微調整する（光軸に垂直な方向に二次元的に移動させる）際に、調芯装置の把持フィンガ等を、複数の溝部を通して第３レンズの外周を把持することができるため、第３レンズの微調整を容易に行うことができる。
【００１３】
上記構成において、嵌合凹部及び第３保持部は、予め紫外線硬化型の接着剤を塗布しかつ調芯後に紫外線を照射し得るように形成されている、構成を採用することができる。
この構成によれば、第２レンズ（第２レンズ枠）と第１レンズの調芯完了と同時に、又、第３レンズと第２レンズ及び第１レンズとの調芯完了と同時に、紫外線を照射して接着剤を硬化させることで、調芯済みのレンズを、その調芯位置に高精度に保持したまま確実に固着することができる。
【発明の効果】
【００１４】
上記構成のレンズ鏡筒によれば、３枚ないしはそれ以上のレンズを一体的に保持する場合に、レンズ相互の調芯を、容易にかつ高精度に、簡略な段取りで行うことができ、全体としての解像力を向上させることができる。また、高精度に調芯された小型のレンズ鏡筒を得ることができため、小型のデジタルカメラ、モバイルカメラ等に容易に適用（搭載）することができる。
【発明を実施するための最良の形態】
【００１５】
以下、本発明の実施の形態について、添付図面を参照しつつ説明する。
図１ないし図８は、本発明に係るレンズ鏡筒の一実施形態を示すものであり、図１は本発明のレンズ鏡筒を含むカメラユニットの分解斜視図、図２はカメラユニットの縦断面図、図３は本発明に係るレンズ鏡筒の一部を切断した分解斜視図、図４はレンズ鏡筒の一部をなす第１レンズ枠及び第１レンズを示す正面図及び縦断面図、図５は第１レンズ枠に第１レンズを固着する際の接着剤の塗布を示す説明図、図６はレンズ鏡筒の一部をなす第２レンズ枠と第２レンズ及び第３レンズを示す正面図及び縦断面図、図７は調芯作業を説明する正面図、図８はレンズ鏡筒の正面図及び縦断面図である。
【００１６】
このカメラユニットは、図１及び図２に示すように、固定筒１１及び取付け部１２をもつベース１０、固定筒１１の内側に摺動自在に支持された本発明に係るレンズ鏡筒１００、固定筒１１の周りに回動自在に支持されたカムリング２０、固定筒１１の外周面を取り囲むように設けられたコイルスプリング３０、コイルスプリング３０を受ける環状の座金４０、コイルスプリング３０を圧縮して押える押えリング５０、取付け部１２に固定された撮像素子としてのＣＣＤ６０、基板７０等を備えている。
【００１７】
ベース１０は、図２に示すように、光軸方向Ｌの前方側Ｆに位置する固定筒１１、光軸方向Ｌの後方側Ｒにおいて固定筒１１と一体的に形成された矩形状の凹部を画定する取付け部１２等により形成されている。
固定筒１１は、その径方向に貫通すると共に光軸方向Ｌに伸長しかつ前方側Ｆに開口する３つのガイド孔１１ａ、その前端面において前方に向けて突出する６つの突起１１ｂ、後述するレンズ枠１００（の外周面）を摺動自在に案内する内周面１１ｃ、カムリング２０を回動自在に支持する外周面１１ｄ等を備えている。
【００１８】
３つのガイド孔１１ａは、周方向において等角度（１２０度）の間隔で形成されており、６つの突起１１ｂは、周方向において等角度（６０度）の間隔で形成されている。
取付け部１２には、図２に示すように、ＣＣＤ６０が基板７０等により保持されて、接着剤等により固着されている。
【００１９】
カムリング２０は、図１及び図２に示すように、ベース１０の筒状部１１（の外周面１１ｄ）に回動自在に外嵌される環状部２１、環状部２１の外周面から径方向外側に突出すると共に光軸方向Ｌに伸長する操作レバー２２、環状部２１の前端面に形成された３つのカム面２３等を備えている。
３つのカム面２３は、それぞれレンズ鏡筒１００の後述する３つの突出部１１２を受けて光軸方向Ｌにカム作用を及ぼすものであり、回転に伴って光軸方向Ｌにおけるリフト量が連続的に増加するプロフィルをなすように形成されている。
【００２０】
コイルスプリング３０は、図１及び図２に示すように、固定筒１１の外周面１１ｄを取り囲むように、座金４０を挟んで３つの突出部１１２に隣接して取り付けられ、押えリング５０により、所定の付勢力を発生するように圧縮された状態に保持されている。したがって、コイルスプリング３０は、後述するレンズ鏡筒１００の突出部１１２を光軸方向Ｌの後方側Ｒに向けて付勢し、この突出部１１２をカム面２３に対して常に接触させるように作用している。
【００２１】
押えリング５０は、図１及び図２に示すように、環状に形成されており、その内周面において６つの切欠き部５１を備えている。６つの切欠き部５１は、周方向において等角度（６０度）の間隔で形成されており、固定筒１１の６つの突起１１ｂをそれぞれ受け入れるものである。すなわち、押えリング５０は、切欠き部５１に突起１１ｂを嵌め込むことで固定筒１１に連結されて、コイルスプリング３０を圧縮した状態に保持する。
【００２２】
レンズ鏡筒１００は、図２及び図３に示すように、第１レンズＧ１を保持する第１レンズ枠１１０、第２レンズＧ２及び第３レンズＧ３を保持する第２レンズ枠１２０、第１レンズＧ１と第２レンズＧ２の間に挟持される口径板１３０、第３レンズＧ３の前方に配置される第２の口径板１４０等を備えている。
ここで、第１レンズＧ１、第２レンズＧ２、及び第３レンズＧ３は、光軸方向Ｌにおいて、後方Ｒ（像面側）から前方Ｆ（物体側）に向けて順次に配列されるようになっている。
【００２３】
第１レンズ枠１１０は、図３ないし図５に示すように、樹脂材料を成型することにより形成されて、略円筒状に形成された円筒部１１１、円筒部１１１の外周面から周方向に等間隔で（１２０度ごとに）径方向外向きに突出した３つの突出部１１２、内側において第１レンズＧ１を嵌め込んで保持する第１保持部１１３、第１保持部１１３の周りに形成された３つの溝部１１４、第１保持部１１３の周りに形成されて第２レンズ枠１２０の後述する円筒部１２１を所定の隙間をおいて嵌め込む嵌合凹部１１５、円筒部１１１の壁部を周方向に等間隔（１２０度ごと）に切り欠いた３つのスリット１１６等を備えている。
【００２４】
第１保持部１１３は、図４（ａ），（ｂ）に示すように、所定の内径をなす内周面１１３ａ，内周面１１３ａから径方向内向きに環状に延出し中央領域に円形の開口部１１３ｂ´を画定する環状端面１１３ｂ等により形成されている。
３つの溝部１１４は、内周面１１３ａから径方向外向きに肉抜きされることにより形成されている。この溝部１１４には、図４（ａ），（ｂ）に示すように、第１レンズＧ１を嵌め込んだ後に、接着剤ＧＬを充填して固着することができ、又、後述する第１レンズＧ１の突起Ｇ１ｃを挿入することができるようになっている。また、３つの溝部１１４は、第１レンズＧ１を把持フィンガ等で把持して第１保持部１１３に嵌め込む場合に、その把持フィンガを非接触にて入り込ませる逃げ部としても機能するようになっている。
【００２５】
嵌合凹部１１５は、後述する第２レンズ枠１２０の円筒部１２１を、光軸Ｌに垂直な径方向において所定の隙間をおいて嵌め込むことができる内径寸法に形成されている。そして、第２レンズ枠１２０が嵌め込まれ調芯された後には、接着剤、例えば、紫外線硬化型の接着剤が塗布されて（あるいは、予め塗布された紫外線硬化型接着剤に対して）、その上から紫外線が照射されるように形成されている。
３つのスリット１１６は、後述する第２レンズ枠１２０の突出部１２２を所定の遊びをもって挿入し得る幅寸法をなすように（すなわち、内側に挿入された第２レンズ枠１２０の外周又は一部を露出させるように）、光軸方向Ｌの前方Ｆに向けて開口するように切り欠かれて形成されている。
【００２６】
第１レンズＧ１は、樹脂材料を成型して形成され、図４（ｂ）に示すように、光軸Ｌ１を有し、第１保持部１１３に嵌め込まれて保持される外縁部Ｇ１ａ、口径板１３０を当接させて保持するべく光軸Ｌ１（組付け後の光軸Ｌ）に垂直な平面と平行でかつ外縁領域において環状に形成された環状端面Ｇ１ｂ、外縁部Ｇ１ａから径方向に突出した突起Ｇ１ｃ等を備えている。
【００２７】
ここで、第１レンズＧ１は、図４（ａ），（ｂ）及び図５に示すように、把持フィンガ（不図示）等により外縁部Ｇ１ａが把持された状態で第１レンズ枠１１０内に挿入され、外縁部Ｇ１ａが第１保持部１１３の内周面１１３ａの内側に嵌め込まれると共に環状端面１１３ｂに当接され、３つの溝部１１４に対して、充填ノズルＮにより接着剤ＧＬが充填されて固着される。この接着剤ＧＬとしては、紫外線硬化型の接着剤、又は、速乾性の接着剤等でもよい。
これにより、第１レンズＧ１は、第１レンズ枠１１０に対して嵌め込まれて堅固に保持され、その光軸Ｌ１がレンズ鏡筒としての光軸Ｌに一致する状態に組み込まれるようになっている。
【００２８】
第２レンズ枠１２０は、図３及び図６に示すように、樹脂材料を成型することにより形成されて、略円筒状に形成された円筒部１２１、円筒部１２１の外周面から周方向に等間隔で（１２０度ごとに）径方向外向きに突出した３つの突出部１２２、内側において第２レンズＧ２を嵌め込んで保持する第２保持部１２３、光軸方向Ｌにおいて第２保持部１２３と反対側に形成されて第３レンズＧ３を所定の隙間をおいて嵌め込んで保持する第３保持部１２４、第３保持部１２４の周りに形成された３つの溝部１２５、第２の口径板１４０を接合する環状端面１２６等を備えている。
【００２９】
第１円筒部１２１は、第１レンズ枠１１０の嵌合凹部１１５に対して、光軸Ｌに垂直な径方向において所定の隙間をおいて嵌め込むことができる外径寸法に形成されている。そして、第１円筒部１２１が嵌合凹部１１５に嵌め込まれ、微調整されて（光軸Ｌ１に対して垂直な方向に二次元的に移動させられて）調芯された後には、例えば、紫外線硬化型の接着剤が塗布されて（あるいは、予め紫外線硬化型の接着剤が塗布されて）、その上から紫外線が照射され得るようになっている。
【００３０】
３つの突出部１２２は、第１レンズ枠１１０の３つのスリット１１６に対して、光軸方向Ｌの前方Ｆ側から周方向に所定の隙間をおいてすなわち遊びをもって挿入されるように、所定の幅寸法をなすように形成されている。
そして、３つの突出部１２２は、第２レンズ枠１２０が第１レンズ枠１１０に挿入された状態で、第１レンズＧ１に対して、第２レンズＧ２を光軸Ｌに垂直な面内において所定の角度位置に位置付けると共に、第２レンズＧ２を第１レンズＧ１に対して調芯する際に、図７に示すように、第１レンズ枠１１０の外側からスリット１１６を通して、把持フィンガＦ１等により把持されるようになっている。
【００３１】
第２保持部１２３は、図６（ａ），（ｂ）に示すように、所定の内径をなす内周面１２３ａ，内周面１２３ａから径方向内向きに環状に延出する環状端面１２３ｂ等により形成されている。尚、第２保持部１２３には、前述同様に、内周面１２３ａから径方向外向きに肉抜きされて把持フィンガの移動を許容し又接着剤の充填を可能にする複数の溝部（不図示）を備えていてもよい。
【００３２】
第３保持部１２４は、図６（ａ），（ｂ）に示すように、所定の内径をなす内周面１２４ａ，内周面１２４ａから径方向内向きに環状に延出し中央領域に円形の開口部１２４ｂ´を画定する環状端面１２４ｂ等により形成されている。
３つの溝部１２５は、内周面１２４ａから径方向外向きに肉抜きされることにより形成されている。この溝部１２５は、図７に示すように、第３レンズＧ３を把持フィンガＦ２等で把持して第３保持部１２４に嵌め込むと共に光軸Ｌ１，Ｌ２に垂直な方向に二次元的移動させて調芯を行う場合に、その把持フィンガＦ２を非接触にて入り込ませる逃げ部として機能するようになっている。
【００３３】
第２レンズＧ２は、樹脂材料を成型して形成され、図６（ｂ）に示すように、光軸Ｌ２を有し、第２保持部１２３に嵌め込まれて保持される外縁部Ｇ２ａ、口径板１３０を当接させて保持するべく光軸Ｌ（Ｌ１）に垂直な平面と平行でかつ環状に形成された環状端面Ｇ２ｂ等を備えている。
【００３４】
ここで、第２レンズＧ２は、第１保持部１２３に溝部（不図示）が設けられている場合は、把持フィンガ（不図示）等により外縁部Ｇ２ａが把持された状態で、外縁部Ｇ２ａが第２保持部１２３の内周面１２３ａの内側に嵌め込まれると共に環状端面１２３ｂに当接され、溝部（不図示）に対して、図５に示すような充填ノズルＮにより接着剤ＧＬが充填されて固着される。この接着剤ＧＬとしては、紫外線硬化型の接着剤、又は、速乾性の接着剤等でもよい。
これにより、第２レンズＧ２は、第１レンズＧ１と対向する側において、第２レンズ枠１２０に対して嵌め込まれて堅固に保持された状態となる。
【００３５】
第３レンズＧ３は、樹脂材料を成型して形成され、図６（ｂ）に示すように、光軸Ｌ３を有し、第３保持部１２４に嵌め込まれて内周面１２４ａと対向する外縁部Ｇ３ａ、環状端面１２４ｂに当接させられる後端面Ｇ３ｂ等を備えている。
【００３６】
ここで、第３レンズＧ３は、図７に示すように、把持フィンガＦ２等により外縁部Ｇ３ａが把持された状態で、外縁部Ｇ３ａが第３保持部１２４の内周面１２４ａの内側に嵌め込まれると共にその後端面Ｇ３ｂが環状端面１２４ｂに当接され、環状端面１２４ｂに沿って微調整されて（光軸Ｌ２，Ｌ１に対して垂直な方向に二次元的に移動させられて）調芯された後には、例えば、紫外線硬化型の接着剤が塗布されて（あるいは、予め紫外線硬化型の接着剤が塗布されて）、その上から紫外線が照射され得るようになっている。
【００３７】
これにより、第３レンズＧ３は、第２レンズＧ２と反対側において、第２レンズ枠１２０に対して嵌め込まれて堅固に保持され、その光軸Ｌ３が第２レンズＧ２の光軸Ｌ２及び第１レンズＧ１の光軸Ｌ１と一致した状態に組み込まれるようになっている。
【００３８】
次に、上記構成をなすレンズ鏡筒の組付け及び調芯作業について説明する。
先ず、図４に示すように、第１レンズＧ１を第１レンズ枠１１０の第１保持部１１３に嵌め込んで固着する。また、第２レンズＧ２を第２レンズ枠１２０の第２保持部１２３に嵌め込んで固着する。
【００３９】
続いて、第１レンズ枠１１０を調芯装置のテーブル（不図示）に固定し、口径板１３０を嵌合凹部１１４に挿入して第１レンズＧ１の環状端面Ｇ１ｂに当接させ、続いて、第２レンズ枠１２０の円筒部１２１を嵌合凹部１１５に挿入して、第２レンズＧ２の環状端面Ｇ２ｂを口径板１３０に当接させる。この状態で、口径板１３０は、第１レンズＧ１と第２レンズＧ２に挟み込まれた状態となる。
このように、口径板１３０は、第１レンズＧ１（の環状端面Ｇ１ｂ）と第２レンズＧ２（の環状端面Ｇ２ｂ）との間に挟持されるため、口径板１３０を保持するための専用の保持部が不要になり、その分だけ第１レンズ枠１１０及び第２レンズ枠１２０の構造を簡素化することができる。
【００４０】
続いて、調芯を行う第２レンズＧ２の前方（上方）に撮影チャート（不図示）を配置し、調芯の基準となる第１レンズＧ１の後方（下方）にＣＣＤ等の撮像素子（不図示）を配置し、調芯装置の把持フィンガＦ１で第２レンズ枠１２０の突出部１２２を把持する。
続いて、把持フィンガＦ１を光軸Ｌ１に垂直な平面内において二次元的に移動させつつ、（必要に応じて照明光を照射しつつ）撮像素子で撮影チャートを撮影する。そして、この撮影画像をモニター（不図示）で確認しながら、その表示画像が所定状態（すなわち、第２レンズＧ２の光軸Ｌ２が第１レンズＧ１の光軸Ｌ１と一致して、画像のピントが合う状態あるいは像ボケが均等になる状態）となるように微調整する。
【００４１】
そして、モニター上の表示画像が所定状態になった時点で、第２レンズ枠１２０の円筒部１２１と第１レンズ枠１１０の嵌合凹部１１４の間に所定光量の紫外線を照射する。すると、予め塗布された接着剤ＧＬが硬化して、第２レンズ枠１２０は第１レンズ枠１１０に堅固に固着され、これにより、第２レンズＧ２は、第１レンズＧ１に対して調芯された状態（光軸Ｌ２が光軸Ｌ１と一致した状態）に保持される。
【００４２】
続いて、把持フィンガＦ２により第３レンズＧ３を把持して、第２レンズ枠１２０の第３保持部１２４に嵌め込む。そして、第３レンズＧ３の後端面Ｇ３ｂを環状端面１２４ｂに沿って二次元的に移動させつつ、（必要に応じて照明光を照射しつつ）撮像素子で撮影チャートを撮影する。そして、この撮影画像をモニター（不図示）で確認しながら、その表示画像が所定状態（すなわち、第３レンズＧ３の光軸Ｌ３が第１レンズＧ１の光軸Ｌ１及び第２レンズＧ２の光軸Ｌ２と一致して、画像のピントが合う状態あるいは像ボケが均等になる状態）となるように微調整する。
【００４３】
そして、モニター上の表示画像が所定状態になった時点で、第２レンズ枠１２０の第３保持部１２４の内周面１２４ａと第３レンズＧ３の外縁部Ｇ３ａの間の領域又は溝部１２５の領域に所定光量の紫外線を照射する。すると、予め塗布された接着剤ＧＬが硬化して、第３レンズＧ３は第２レンズ枠１２０に堅固に固着され、これにより、第３レンズＧ３は、第１レンズＧ１及び第２レンズＧ２に対して調芯された状態に保持される。
これにより、第２レンズＧ２及び第３レンズＧ３は、第１レンズＧ１に対して高精度に調芯されて、各々の光軸Ｌ１，Ｌ２，Ｌ３が一つの光軸Ｌ（Ｌ１）上に一致する。
以上により、図８（ａ），（ｂ）に示すように、光軸Ｌをもつレンズ鏡筒１００の組付けが完了する。尚、図８において、第２の口径板１４０の組付けは省略している。
【００４４】
上記のように、第１レンズＧ１に対して、第２レンズＧ２及び第３レンズＧ３を調芯する際に、同一の方向（前側）から調芯作業を行うことができるため、容易にかつ高精度に調芯を行うことができると共に、段取りを簡略化することができ、それ故に、調芯装置を簡素化することができる。その結果、レンズ鏡筒全体の組付け作業に要する時間を短縮でき、生産性を向上させることができる。
また、７０パーセント像高の付近の解像力及び解像バランスと中心付近の解像力及び解像バランスを同一方向から整えることができる。
【００４５】
上記実施形態においては、３つのレンズＧ１，Ｇ２，Ｇ３を保持するレンズ鏡筒について示したが、これに限定されるものではなく、調芯を要しないレンズを含む４つ以上のレンズを保持するレンズ鏡筒においても、本発明を適用することができる。
上記実施形態においては、第１レンズ枠１１０に対して第１レンズＧ１を固着し、第２レンズ枠１２０に対して第２レンズＧ２を固着し、その後、第２レンズＧ２と第１レンズＧ１の調芯を行い、さらにその後、第３レンズＧ３と第１レンズＧ１の調芯を行う場合について説明したが、これに限定されるものではなく、予め第２レンズＧ２と第３レンズＧ３を第２レンズ枠１２０上で調芯した後に、この第２レンズ枠１２０を第１レンズ枠１１０に対して微調整することにより、第１レンズＧ１と第２レンズＧ２及び第３レンズＧ３との調芯を行うようにしてもよい。
【産業上の利用可能性】
【００４６】
以上述べたように、本発明のレンズ鏡筒は、レンズ相互の調芯を容易にかつ高精度に、簡略な段取りで行うことができ、全体としての解像力を向上させることができるため、特に変倍あるいは撮影位置の切り替えを行う小型のデジタルカメラ、モバイルカメラ等に適用できるのは勿論のこと、撮像素子を含まないレンズ光学系あるいは固定焦点のレンズ光学系においても有用できる。
【図面の簡単な説明】
【００４７】
【図１】本発明に係るレンズ鏡筒を備えたカメラユニットを示す分解斜視図である。
【図２】図１に示すカメラユニットの光軸Ｌを含む面での縦断面図である。
【図３】図１のカメラユニットに含まれる本発明のレンズ鏡筒を示す分解斜視図である。
【図４】図３に示すレンズ鏡筒の一部をなす第１レンズ枠及び第１レンズを示すものであり、（ａ）はその正面図、（ｂ）は（ａ）中のＥ１−Ｅ１における断面図である。
【図５】第１レンズ枠に第１レンズを嵌め込んだ状態で、接着剤を塗布する状態を示す正面図である。
【図６】図３に示すレンズ鏡筒の一部をなす第２レンズ枠と第２レンズ及び第３レンズを示すものであり、（ａ）はその正面図、（ｂ）は（ａ）中のＥ２−Ｅ２における断面図である。
【図７】第２レンズ枠（第２レンズ）の調芯及び第３レンズの調芯を行う際の把持フィンガの作動状態を示す正面図である。
【図８】組付け及び調芯が完了したレンズ鏡筒を示すものであり、（ａ）はその正面図、（ｂ）は（ａ）中のＥ３−Ｅ３における断面図である。
【符号の説明】
【００４８】
１０  ベース
２０  カムリング
３０  コイルスプリング
４０  座金
５０  押えリング
６０  ＣＣＤ
７０  基板
１００  レンズ鏡筒
Ｌ  光軸方向
Ｇ１  第１レンズ
Ｇ１ａ  外縁部
Ｇ１ｂ環状端面
Ｌ１  第１レンズの光軸
Ｇ２  第２レンズ
Ｇ２ａ  外縁部
Ｇ２ｂ  環状端面
Ｌ２  第２レンズの光軸
Ｇ３  第３レンズ
Ｇ３ａ  外縁部
Ｇ３ｂ  後端面
Ｌ３  第３レンズの光軸
１１０  第１レンズ枠
１１１  円筒部
１１２  突出部
１１３  第１保持部
１１３ａ  内周面
１１３ｂ  環状端面
１１４  溝部
１１５  嵌合凹部
１１６  スリット
１２０  第２レンズ枠
１２１  円筒部
１２２  突出部
１２３  第２保持部
１２３ａ  内周面
１２３ｂ  環状端面
１２４  第３保持部
１２４ａ  内周面
１２４ｂ  環状端面
１２５  溝部
１２６  環状端面
１３０  口径板
１４０  第２の口径板
【図１】
2008111932.tif 000003
【図２】
2008111932.tif 000004
【図３】
2008111932.tif 000005
【図４】
2008111932.tif 000006
【図５】
2008111932.tif 000007
【図６】
2008111932.tif 000008
【図７】
2008111932.tif 000009
【図８】
2008111932.tif 000010